(57)【特許請求の範囲】
【請求項１】
錠前の施解錠に必要なキーデータが記憶された携帯機器を用い、該携帯機器から取得した前記キーデータの正当性を判別し、正常に認証したときに前記錠前を解錠制御するとともに、室内機器に電源を供給するための室内用電源をＯＦＦからＯＮに制御し、さらに、前記室内用電源がＯＮ状態のときに扉の閉扉状態を示す閉扉状態信号を検知してから設定時間が経過すると、前記室内用電源をＯＮからＯＦＦに制御するロックシステムであって、
部屋の室外の所定位置に配置される室外側情報読取手段と、前記部屋の室内の所定位置に配置される室内側情報読取手段とで構成され、前記携帯機器がかざされた時に前記キーデータを読み取る情報読取手段と、
前記室内用電源がＯＮ状態で、扉の閉扉状態を示す閉扉状態信号を検知してから設定時間が経過する前に、前記室内側情報読取手段が前記携帯機器から取得したキーデータを正常に認証すると、前記室内用電源のＯＮ状態を維持する制御を行う制御手段と、
を備えたことを特徴とするロックシステム。
【発明の詳細な説明】
【技術分野】
【０００１】
本発明は、扉に設置された錠前を電気的に施解錠制御するロックシステムに係り、特に簡易的な構成で室内用電源をＯＮ／ＯＦＦ制御することができるロックシステムに関するものである。
【背景技術】
【０００２】
従来より、例えば商業ビルや公共施設または一般住宅等の扉には、不審者の侵入を回避するため、防犯性に富んだ電気錠システムが設けられている。この種の電気錠システムは、特定の施解錠信号により、例えばモータやソレノイドなどの駆動手段を駆動してデッドボルトを電気的に進退させ、錠前の施解錠を行っている。
【０００３】
図３はこの種の一般的な電気錠システムの概略構成を示している。図３に示す電気錠システムは、ドア１０１に設置された電気錠１０２、電気錠制御部１０３、壁に設置されて電気的な手段により電気錠１０２の施錠や解錠を決定して電気錠１０２を制御するための制御信号を出力する施解錠決定手段１０４とを備え、ドア１０１の一側が蝶番１０５にてドア枠１０６に連結されている（ドア枠１０６に開閉自在に取り付けられている）。施解錠決定手段１０４には、２線式の電線１０７によって交流電源（ＡＣ１００ＶまたはＡＣ２００Ｖ）が供給されるとともに、宅内に配設される操作表示器１０８からの遠隔操作によって電気錠制御部１０３を介して施解錠信号が伝送される。また、上記のような電気錠システムは、例えば特許文献１に開示されるように公知である。
【特許文献１】特開平１０−０２５９３５号公報
【発明の開示】
【発明が解決しようとする課題】
【０００４】
ところで、この種の電気錠システムを例えばホテルに採用した従来のロックシステムでは、まず宿泊客がフロントに出向いてチェックインの手続きをすると、従業員から宿泊部屋の施解錠カードが発行されて宿泊客に手渡される。宿泊客は宿泊部屋の前で施解錠用カードを所定操作して錠前を解錠して部屋に入室し、室内用電源のＯＮ／ＯＦＦを切り替えるためのカードホルダーに施解錠カードを挿入する。そして、カードホルダーが施解錠カードの挿入を検知すると、室内用電源がＯＮとなって例えば室内の照明装置の使用可能となる。また、カードホルダーに施解錠カードが挿入された状態では、その部屋が在室状態であることを示す信号が外部（例えばホテルのフロントや管理室の管理端末など）に出力可能であった。そして、部屋を退出する際には、カードホルダーから施解錠カードを抜き取ると、室内用電源がＯＮからＯＦＦに切り替わる。
【０００５】
このように、従来のロックシステムでは、部屋に入室して施解錠カードをカードホルダーに挿入することで室内用電源をＯＮにし、退出する際には施解錠カードをカードホルダーから抜き取って室内用電源をＯＦＦにしていた。このため、ホテル側では、各部屋に使用する施解錠カードの大きさに合せたカードホルダーを別途各部屋毎に設置する必要があり、カードホルダーの設置によって室内の美観が損なわれるおそれがあった。
【０００６】
また、この種のカードホルダーは、施解錠カードの抜き差しによる挿入の有無を検知して室内用電源をＯＮ／ＯＦＦしており、施解錠カードのカード情報などは特に読み取っていないため、施解錠カードに代わる同一形状のカード媒体をカードホルダーに抜き差ししても室内用電源のＯＮ／ＯＦＦが可能であった。その結果、宿泊者が施解錠カードに代わるカード媒体で室内用電源をＯＮして例えば照明装置を点灯させたまま外出した場合には、無駄に電力を消費してしまうという問題があった。
【０００７】
そこで、本発明は上記問題点に鑑みてなされたものであり、従来の美観を損なう専用のカードホルダーを使用することなく、入退室に関わる一連の動作で自動的に室内用電源を制御でき、無駄な電力消費を削減して省電力化も可能なロックシステムを提供することを目的とするものである。
【課題を解決するための手段】
【０００８】
上記した目的を達成するために、請求項１に記載されたロックシステムは、錠前の施解錠に必要なキーデータが記憶された携帯機器を用い、該携帯機器から取得した前記キーデータの正当性を判別し、正常に認証したときに前記錠前を解錠制御するとともに、室内機器に電源を供給するための室内用電源をＯＦＦからＯＮに制御し、さらに、前記室内用電源がＯＮ状態のときに扉の閉扉状態を示す閉扉状態信号を検知してから設定時間が経過すると、前記室内用電源をＯＮからＯＦＦに制御するロックシステムであって、
部屋の室外の所定位置に配置される室外側情報読取手段と、前記部屋の室内の所定位置に配置される室内側情報読取手段とで構成され、前記携帯機器がかざされた時に前記キーデータを読み取る情報読取手段と、
前記室内用電源がＯＮ状態で、扉の閉扉状態を示す閉扉状態信号を検知してから設定時間が経過する前に、前記室内側情報読取手段が前記携帯機器から取得したキーデータを正常に認証すると、前記室内用電源のＯＮ状態を維持する制御を行う制御手段と、
を備えたことを特徴とする。
【発明の効果】
【００１３】
本発明によれば、錠前の施解錠に必要なキーデータを予め記憶した携帯機器を用い、入退室に関わる一連の動作で錠前の制御だけでなく室内用電源のＯＮ／ＯＦＦも制御することができる。このため、従来のような施解錠カードの作成や室内用電源専用のカードホルダーを設置する必要がなく、システム全体が簡易的な構成になる。また、室内用電源をＯＮさせたまま無駄に電力を消費することなく、経済的なロックシステムを提供することができる。
【発明を実施するための最良の形態】
【００１４】
以下、本発明の最良の形態について、添付した図面を参照しながらそれぞれ説明する。図１は本発明に係るロックシステムの第１形態の構成を説明するための概略ブロック図、図２は本発明に係るロックシステムの第２形態の構成を説明するための概略ブロック図である。
【００１５】
本例のロックシステムは、予め解錠（又は施解錠）に必要なキーデータを記憶した携帯機器を用い、携帯機器のキーデータを非接触通信により取得して正当性を判別し、その判別結果に応じて錠前を解錠（又は施解錠）制御するとともに、室内用電源のＯＮ／ＯＦＦを制御するものである。尚、以下では、ホテル客室に採用したロックシステムの例として説明する。
【００１６】
まず、本例のロックシステムの第１形態について図１を参照しながら説明する。第１形態のロックシステム１は、携帯機器１０、電気錠２０、照明装置３０、人体検知センサ４０を備えて概略構成される。
【００１７】
携帯機器１０は、機器本体内に非接触型ＩＣチップを内蔵したＩＣチップ内蔵タイプ若しくは非接触型ＩＣチップ内蔵カードが装着可能な例えば携帯電話やＰＤＡなどの外部通信機器で構成される。この携帯機器１０には、例えば利用者が電話予約やインターネットを介してＷｅｂ予約したホテルのフロントに出向いた際に、フロントにて宿泊部屋の解錠（又は施解錠）に必要なキーデータ（例えばホテル固有情報、宿泊者情報、チェックイン・アウト情報、部屋番号などの各種情報）が書き込まれる。この携帯機器１０に書き込まれたキーデータは、宿泊する部屋の電気錠２０を解錠（又は施解錠）する際に、携帯機器１０を電気錠２０の所定箇所にかざすことで非接触通信により電気錠２０に読み取られる。
【００１８】
電気錠２０は、情報読取手段２１、記憶手段２２、制御手段２３、駆動機構２４、電源部２５を備えて構成される。電気錠２０は、例えばＲＳ−２３２Ｃなどの通信インターフェースで構成された通信手段を備えており、室内機器としての照明装置３０や人体検知センサ４０と通信ケーブルなどで有線接続され、各種データの通信が可能とされている。
【００１９】
情報読取手段２１は、携帯機器１０と非接触通信によって携帯機器１０の情報を取得するための読取装置で構成され、扉や扉付近の所定箇所に配設される。情報読取手段２１は、宿泊者が所有する携帯機器１０に記憶されたキーデータを非接触通信で取得し、この取得したキーデータを制御手段２３に出力している。
【００２０】
記憶手段２２は、例えば磁気的、光学的記憶媒体若しくはＲＯＭ、ＲＡＭ等の半導体メモリで構成され、情報読取手段２１が取得したキーデータが正当な情報であるか否かを判別するための認証用キーデータ、モニタ情報としての状態信号（扉の開閉状態信号や錠前の施解錠状態信号）等の電気錠２０の施解錠制御に必要な各種データを記憶している。
【００２１】
制御手段２３は、例えばＣＰＵ、ＲＯＭ、ＲＡＭ等を含むマイクロコンピュータで構成される。制御手段２３は、情報読取手段２１から取得したキーデータと、予め記憶手段２２に記憶された認証用キーデータとを照合して正当性を判別し、正常に認証したときのみ現在の錠前の施解錠状態、扉の開閉状態に応じて錠前を電気的に解錠（又は施解錠）制御している。尚、ここでの制御手段２３は、錠前の解錠後に閉扉して閉扉状態信号を検知したときに、錠前を自動施錠するべく駆動機構２４を駆動させるための駆動制御信号を出力している。
【００２２】
また、制御手段２３は、錠前の解錠（又は施解錠）制御時に、駆動機構２４を駆動させるための駆動制御信号の出力、電源部２５から駆動機構２４や照明装置３０への電源供給のＯＮ／ＯＦＦ制御、錠前からモニタ情報として入力される状態信号（例えば扉の開閉状態信号、錠前の施解錠状態信号）の判別処理等の様々な処理制御をしている。
【００２３】
さらに、制御手段２３は、携帯機器１０から取得したキーデータ、扉の開閉状態、室内の人体の有無などの各種情報に基づいて、室内用電源のＯＮ／ＯＦＦを制御するための電源ＯＮ／ＯＦＦ制御信号を室内機器に出力している。ここでは電源ＯＮ／ＯＦＦ制御信号を照明装置３０に出力している。
【００２４】
さらに説明すると、照明装置３０の室内用電源をＯＮにする場合、制御手段２３は、解錠操作時に情報読取手段２１にかざされた携帯機器１０から取得したキーデータを正常に認証したときに、室内用電源をＯＮするための電源ＯＮ制御信号を照明装置３０に出力する。これにより、室内用電源がＯＮし、照明装置３０に電源が供給され、使用が可能になる。
【００２５】
また、照明装置３０の室内用電源をＯＦＦにする場合、制御手段２３は、利用者が部屋を退室して閉扉したときに、この閉扉を示す閉扉状態信号を検知し、閉扉後の設定時間以内に人体検知センサ４０から検知信号を受信しなければ、室内用電源をＯＦＦするための電源ＯＦＦ制御信号を照明装置３０に出力する。これにより、室内用電源がＯＦＦし、照明装置３０に電源が供給されず、使用不可能となる。
【００２６】
尚、制御手段２３は、室内用電源がＯＮ状態のときに、人体検知センサ４０が部屋内の人体を検知したり、閉扉状態であっても設定時間が経過する前に人体検知センサ４０が人体を検知したときには、照明装置３０に電源ＯＮ／ＯＦＦ制御信号を出力しない。これにより、室内用電源のＯＮ状態が維持され、照明装置３０が継続して使用可能になる。
【００２７】
駆動機構２４は、例えばモータやソレノイド等の駆動装置と錠前で構成され、制御手段２３から入力される駆動制御信号により錠前を施錠または解錠するべく駆動し、扉枠の係止穴に対してデッドボルトを突出（施錠時）又は引き込む（解錠時）ことにより錠前が施解錠される。
【００２８】
電源部２５は、例えば商用電源（ＡＣ１００Ｖ）である外部電源で構成され、通電金具を介して電気錠２０を構成する各部や照明装置（室内機器）３０に電源を供給する。尚、電源部２５は、外部電源に限らず、電池などを用いることもできる。
【００２９】
照明装置３０は、電気錠２０と同様に例えばＲＳ−２３２Ｃなどの通信インターフェースで構成された通信手段を備え、部屋の天井や洗面所、トイレなどの部屋の照明として所定箇所に設置されている。照明装置３０は、電源部２５から供給される室内用電源のＯＮ／ＯＦＦを切り替える照明用スイッチ３１を備えている。照明用スイッチ３１は、制御手段２３から出力される電源ＯＮ／ＯＦＦ制御信号に基づいて室内用電源のＯＮ／ＯＦＦを切り替えている。
【００３０】
人体検知センサ４０は、例えば焦電センサを具備したパッシブセンサなどで構成され、部屋の天井などに設置されている。人体検知センサ４０は、室内に人体を検知すると、人体が室内にいることを示す検知信号を制御手段２３に出力する。
【００３１】
次に、上述した第１形態のロックシステム１の処理動作について具体的事例を挙げて説明する。ここでは、携帯機器１０として非接触型ＩＣチップ内蔵の携帯電話を使用し、ホテルのフロントにおいて携帯機器１０にキーデータが書き込まれ、このキーデータが書き込まれた携帯電話を用いて電気錠２０を解錠して入退室する例である。
【００３２】
利用者は、まず宿泊するホテルのフロントに出向いて宿泊予約したことを伝え、携帯機器１０に施解錠用のキーデータの書き込みを行う。その後、宿泊する部屋に移動し、携帯機器１０を情報読取手段２１にかざす。電気錠２０は、携帯機器１０からキーデータを取得し、この取得したキーデータが正常であるか否かを認証判別する。この認証判別の結果、正常であると認証された場合にのみ解錠制御を行うとともに、室内用電源をＯＮするための電源ＯＮ制御信号を照明装置３０に出力する。これにより、室内用電源がＯＦＦからＯＮするように照明用スイッチ３１が切り替えられ、照明装置３０に電源が供給されて使用が可能になる。
【００３３】
また、室内用電源がＯＮしている状態で部屋を退室した場合は、退室により電気錠２０が閉扉状態信号を検知した後、設定時間以内に人体検知センサ４０から検知信号が受信されなければ、室内用電源をＯＦＦするための電源ＯＦＦ制御信号を照明装置３０に出力する。これにより、室内用電源がＯＮからＯＦＦするように照明用スイッチ３１が切り替えられ、照明装置３０への電源供給が断たれて使用が禁止される。
【００３４】
尚、宿泊者が複数人で誰かが退出した後、室内に利用人が居る場合、人体検知センサ４０が部屋内の人体を検知したり、閉扉状態であっても設定時間が経過する前に人体検知センサ４０が人体を検知すれば、照明装置３０に電源ＯＮ／ＯＦＦ制御信号が出力されず、室内用電源のＯＮ状態が維持される。
【００３５】
次に、本例のロックシステム１の第２形態の構成について図２を参照しながら説明する。尚、以下に説明する第２形態のロックシステム１において、第１形態のロックシステム１と同様の構成要件については同一番号を付してその説明を省略し、相違する構成要件のみについて説明する。
【００３６】
第２形態のロックシステム１では、部屋の室外の所定位置に室外側情報読取手段２１ａが配設され、部屋の室内の所定位置に室内側情報読取手段２１ｂが配設されている。第２形態のロックシステム１では、室内用電源をＯＮからＯＦＦにする際、第１形態のような人体検知センサ４０から検知信号を受信する構成が無く、制御手段２３が閉扉状態信号を検知した後、設定時間が経過したときに照明装置３０に電源ＯＦＦ制御信号を出力して室内用電源をＯＦＦにする構成である。
【００３７】
尚、扉を閉じる際に室内に他の利用者が滞在している場合は、扉の閉扉状態信号を検知した後、設定時間が経過する前に携帯機器１０を室内側情報読取手段２１ｂにかざしてキーデータを読み取らせることで照明装置３０の継続利用が可能となる。また、閉扉後に再度扉を開閉すると閉扉からのカウント時間がキャンセルされ、設定時間経過後に室内用電源がＯＦＦとなる。
【００３８】
次に、第２形態のロックシステム１の処理動作について具体的事例を挙げて説明する。ここでは、第１形態と同様に、携帯機器１０として非接触型ＩＣチップ内蔵の携帯電話を使用し、ホテルのフロントにおいて携帯機器１０にキーデータが書き込まれ、このキーデータが書き込まれた携帯電話を用いて電気錠２０を解錠して入退室する例である。尚、以下の説明において、室内用電源をＯＮする際の動作は、第１形態と同様であるため説明を省略し、室内用電源をＯＦＦする際の処理動作についてのみ説明する。
【００３９】
室内用電源をＯＦＦにする場合には、利用者が部屋を退室して閉扉する。電気錠２０は、閉扉に伴う閉扉状態信号を検知した後、設定時間が経過すると、照明装置３０に電源ＯＦＦ制御信号を出力する。これにより、室内用電源がＯＮからＯＦＦになるように照明用スイッチ３１が切り替わり、照明装置３０への電源供給が断たれて使用が禁止される。
【００４０】
また、退室後に室内に利用者が残っている場合は、閉扉状態信号を検知してから設定時間が経過する前に再度室内側情報読取手段２１ｂに携帯機器１０をかざしてキーデータを読み取らせる。これにより、閉扉後のカウント時間がキャンセルされ、設定時間が経過するまで室内用電源のＯＮ状態が継続される。
【００４１】
ところで、上述した第２形態のロックシステム１において、室内用電源がＯＮ状態で室内側情報読取手段２１ｂに携帯機器１０がかざされ、携帯機器１０からキーデータを読み取ったときのみ、制御手段２３から照明装置３０に電源ＯＦＦ制御信号を出力するようにしても良い。この場合の動作としては、室内用電源がＯＮ状態のときに、利用者が室内側情報読取手段２１ｂに携帯機器１０をかざしてキーデータを読み取らせた後に退室し、電気錠２０が携帯機器１０から取得したキーデータを正常に認証したときのみ、照明装置３０に電源ＯＦＦ制御信号を出力する。これにより、室内用電源がＯＮからＯＦＦになるように照明用スイッチ３１が切り替わり、照明装置３０への電源供給が断たれて使用が禁止される。この構成では、携帯機器１０を室内側情報読取手段２１ｂにかざして携帯機器１０のキーデータを読み取らせない限り室内用電源をＯＮ状態に維持する。
【００４２】
このように、上述した第１形態のロックシステム１では、予め錠前の施解錠に必要なキーデータを記憶した携帯機器１０を用い、錠前の解錠時に携帯機器１０から取得したキーデータの正当性を判別し、正常に認証したときに錠前を解錠制御する。その際、同時に照明装置３０に電源を供給するための室内用電源をＯＦＦからＯＮに切り替え制御する。そして、室内用電源がＯＮ状態で、閉扉状態を示す閉扉状態信号を検知してから設定時間が経過した後に室内用電源をＯＮからＯＦＦに切り替え制御する。また、室内用電源がＯＮ状態で、閉扉状態信号を検知してから設定時間以内に人体検知センサ４０から検知信号を受信しなかったときにも、室内用電源をＯＮからＯＦＦに切り替え制御する。
【００４３】
これにより、従来のような室内用電源のＯＮ／ＯＦＦを切り替えるための専用のカードホルダーを各部屋毎に設置する必要が無くなり、入退室時にカードをカードホルダーに抜き差しする手間が省け、簡便、且つ確実に室内用電源のＯＮ／ＯＦＦ制御を行うことができる。しかも、従来のカードホルダーによる室内の美観を損なうこともない。また、室内用電源がＯＮした後は、宿泊者が一人の場合、閉扉から設定時間経過後に室内用電源をＯＦＦ制御し、宿泊者が複数人の場合、閉扉で室内に人体が無いことに基づいて室内用電源をＯＦＦ制御するので、照明装置３０への無駄な電力消費を低減して省電力化を図ることができる。
【００４４】
また、第２形態のロックシステム１では、第１形態と同様に、予め錠前の施解錠に必要なキーデータを記憶した携帯機器１０を用い、錠前の解錠時に携帯機器１０から取得したキーデータの正当性を判別し、正常に認証したときに錠前を解錠制御する。その際、同時に照明装置３０に電源を供給するための室内用電源をＯＦＦからＯＮに切り替え制御する。そして、室内用電源がＯＮ状態で、閉扉状態を示す閉扉状態信号を検知してから設定時間が経過した後に室内用電源をＯＮからＯＦＦに切り替え制御する。また、室内用電源がＯＮ状態で、閉扉状態信号を検知してから設定時間が経過する前に携帯機器１０から取得したキーデータを正常に認証したときには室内用電源のＯＮ状態を維持する。
【００４５】
これにより、第１形態の人体検知センサ４０が不要となり、より簡易的な構成で室内用電源のＯＮ／ＯＦＦ制御を行うことができる。また、室内用電源がＯＮ状態のときに、閉扉から設定時間内に携帯機器１０を電気錠２０にかざしてキーデータを読み取らせれば室内用電源のＯＮ状態が維持されるので、特に複数の利用者が部屋に在室しているときに入退室が行われても室内用電源のＯＮ状態を継続して照明装置３０を使用することができる。
【００４６】
また、第２形態において、室内用電源がＯＮ状態で、室内側から携帯機器１０を電気錠２０にかざしてキーデータを読み取らせ、このキーデータを正常に認証してから設定時間が経過した後に室内用電源をＯＮからＯＦＦに切り替え制御する構成とすれば、利用者が携帯機器１０のキーデータを電気錠２０に読み取らせることで室内用電源を自主的にＯＮからＯＦＦに切り替え制御することができる。
【００４７】
このように、本例のロックシステム１によれば、従来のような専用のカードホルダーを用いることなく、入退室に関わる一連の動作で自動的に室内用電源をＯＮ／ＯＦＦ制御することができ、無駄な電力消費を削減して省電力化を図ることもできる。加えて、携帯機器１０を客室ルームキーとして使用するので、従来のカードというランニングコストを削減することができる。
【００４８】
ところで、上述した実施の形態では、ＯＮ／ＯＦＦ制御される室内用電源の対象として照明装置３０を例にとって説明したが、照明装置３０に限定されるものではない。例えば冷蔵庫のような常時電源供給を必要とするものを除き、利用者が必要に応じて電源供給する室内機器（例えばテレビや空調など）を対象として室内用電源のＯＮ／ＯＦＦ制御を行うことができる。
【図面の簡単な説明】
【００４９】
【図１】本発明に係るロックシステムの第１形態の構成を説明するための概略ブロック図である。
【図２】本発明に係るロックシステムの第２形態の構成を説明するための概略ブロック図である。
【図３】従来のロックシステムを説明するための説明図である。
【符号の説明】
【００５０】
１  ロックシステム
１０  携帯機器
２０  電気錠
２１  情報読取手段  
２１ａ  室外側情報読取手段
２１ｂ  室内側情報読取手段
２２  記憶手段
２３  制御手段
２４  駆動機構
２５  電源部
３０  照明装置
３１  照明用スイッチ
４０  人体検知センサ
【図１】
0004828262.tif 000002
【図２】
0004828262.tif 000003
【図３】
0004828262.tif 000004